(57)【要約】      （修正有）【課題】洗濯バサミ同士が絡まない様にすることと、簡単に物干し作業ができるようにする為の固着式ワンタッチ物干ハンガーを提供すること。【解決手段】基軸と洗濯バサミが固着しているので、洗濯バサミ同士や他の物が絡みにくい。又、引き線の先端を固着したハサミ片側に引っ張ると、開動自在のハサミ片の上端は係止リングに引かれて、一斉にハサミ片の支軸に取り付けたバネに逆らいつつ、固着したハサミ片の上端方向に移動する。そして、止金の係止部が止板の斜面部を押し上げながら通過して被係止部で係止されると、洗濯バサミの下部の洗濯物を挟む部分は開いた形で停止する。その後、その挟む部分の開いた間に洗濯物の一端を持ち込み、外し棒を指で下げると、止板は上に開き、止金が外れ、バネの力で挟む部分が閉じて洗濯物を係留する。【選択図】図２
0003105148.tif 000002
【実用新案登録請求の範囲】
【請求項１】
物干ハンガーの基軸に複数個固着した一方の固着ハサミ片と、該ハサミ片に、略中央を支軸として、復元力をもたせ開動自在に取り付けたもう一方の対向する開動ハサミ片とから構成され、基軸と洗濯バサミとが固定した固着式ワンタッチ物干しハンガー。
【請求項２】
一方のハサミ片の上端に取り付けられた内側先端が斜面状で段差形の被係止部をもつ止板と、他方のハサミ片の上端に取り付けられた前記被係止部に係止する凸形の係止部をもつ止金とからなり、止板又は止金のどちらか一方に復元力をもたせて取り付けた構造とし、開動ハサミ片上部を固着ハサミ片上部の方向に引き寄せた時、係止部が被係止部で係止し、それを外すと元の形に戻ることを特徴とした、請求項１の固着式ワンタッチ物干ハンガー。
【請求項３】
止板又は止金に外し棒を固着した、請求項２の固着式ワンタッチ物干ハンガー。
【請求項４】
止板又は止金の略中央を支軸にして復元力をもたせ、開動自在に取り付けて、支軸より外側を外し棒とした、請求項２の固着式ワンタッチ物干ハンガー。
【請求項５】
洗濯バサミのそれぞれのハサミ片の上部の同位置に通し穴を設けて、該通し穴に遊動自在に通した引き線と、該引き線の全ての開動ハサミ片の外側直近に固着した係止リングと、引き線の固着ハサミ片側の先端に取り付けた取手とからなり、前記取手を固着ハサミ片方向に引いた時、一斉にその方向に開動ハサミ片の上部が移動する、請求項１，２，３，４の固着式ワンタッチ物干ハンガー。
【考案の詳細な説明】
【考案の詳細な説明】
【０００１】  本考案は、洗濯バサミ同士を絡みにくくし、又、洗濯物を簡単な操作で掛け外しできるための物干しハンガーに関するものである。
【背景技術】
【０００２】  従来の物干しハンガーは、洗濯バサミが鎖や紐等でぶら下がっているため、洗濯バサミ同士や、他の物と絡みつきやすい。又、一方の手でハサミの上方に力を加え、洗濯バサミを開いた状態にしておいて、その開いた所へもう一方の手で洗濯物の一端を運び込んだ後、一方の手を放す動作を何回も繰り返して物干し作業をしている。
【考案が解決しようとする課題】
【０００３】  したがって、洗濯バサミ同士や他の物が絡んだ場合、それを外すのに時間がかかるという問題がある。又、洗濯物を干す場合、それぞれの洗濯バサミ一個ごとに衣類を挟む動作が必要であり、外す場合も同様で、それらの作業に大変な時間がかかる。本考案は、上記のような問題点を解決することを課題とするものである。
【課題を解決するための手段】
【０００４】  前記課題を解決するため、本考案のワンタッチ物干しハンガーでは、物干しハンガーの基軸に複数個固着した一方の固着ハサミ片と、該ハサミ片の略中央を支軸として、バネ又は磁気等の素材を使用する等、復元力をもたせて開動自在にして取り付けたもう一方の開動ハサミ片とからなり、基軸と洗濯バサミが固定された構造としたものである。
【０００５】  さらに、簡単に洗濯物を干せる様にするため、一方のハサミ片の上端に取り付けた内側の先端が斜面状で段差形の被係止部をもつ止板と、他方のハサミ片の上端に取り付けた前記被係止部に係止する凸形の係止部をもつ止金とからなり、止板又は、止金のどちらか一方にバネまたは、磁気等の素材を使用するなど、復元力をもたせて取り付けたものであり、開動ハサミ片を固着ハサミ片の方向に引き寄せた時、止金の係止部が止板の斜面部を押し上げながら通過し係止部が被係止部で係止し、それを外すと元の形に戻る様な構造とした。
【０００６】  そして、復元力をもった、止板又は止金に外し棒を固着して取り付けるとよい。
【０００７】  尚、止板又は止金の略中央を支軸にして復元力を持たせ、開動自在に取り付けて、支軸より外側を外し棒とした構造とすることもできる。
【０００８】  そして、止板に復元力をもたせて取り付けることも、止金に復元力をもたせて取り付けることもできる。
【０００９】  又、止板を下向きにして、止金を上向きにすることも、止板を上向きにして、止金を下向きにすることもできる。
【００１０】  そして、さらに簡単に洗濯バサミを開いた状態にするため、洗濯バサミのそれぞれのハサミ片の上部の同位置に通し穴を設けて、該通し穴に遊動自在に通した引き線と、該引き線の全ての開動ハサミ片外側直近の位置に固着した係止リングと、引き線の固着ハサミ片側の先端に取り付けた取手とからなり、引き線の取手を固着ハサミ片方向に引いた時、一斉にその方向に開動ハサミ片の上部が移動する構造とすると尚便利である。
【作用】
【００１１】  引き線の先端の取手を固着ハサミ片側に引っ張ると、開動ハサミ片の上端は、係止リングに引かれて、一斉にハサミ片の支軸に取り付けたバネに逆らいつつ、固着ハサミ片の上端方向に移動する。そして、止金の凸形の係止部が止板の斜面部を押し上げながら通過して、段差形の被係止部で係止されると、ハサミの下部の洗濯物を挟む部分は開いた形で停止する。その後、その挟む部分の開いた間に洗濯物の一端を持ち込み、外し棒を指で押すと止板は開き、止金が外れ、バネの力で挟む部分が閉じて、洗濯物を係留する。
【考案を実施するための最良の形態】
【００１２】  考案の実施の形態について図面を参照して説明する。図１，図２において、基軸（１）は長方形の枠形で中央を境に二つ折りになる構造である。基軸の外面（１Ａ）は、平面状であり、強度を保つため断面コの字形にしている。しかし、外面は固着するハサミ片の側面と密着する形であれば良く、又、断面はＬ字でも四角でも三角でも良い。洗濯バサミ（丙）の一方の固着ハサミ片（２）は、その側面（２Ａ）を枠（甲）の対面する基軸（１）の外面にそれそれ対象に複数個密着させて固着している。又、その固着ハサミ片側面（２Ａ）は安定して固着するため、広い面になっている。そして、基軸（１）の中央を境に左右それぞれ内側のハサミ片が基軸（１）に固着している。しかし、これは中央を境に外側のハサミ片を基軸（１）に固着しても良い。【００１３】  もう一方の対向する開動ハサミ片（３）は、その略中央を支軸（４Ａ）にして、固着ハサミ片（２）の略中央に巻きバネ（５Ａ）を介して、復元力を持たせて開動自在に取り付けられている。そして、この巻きバネ（５Ａ）は、洗濯物を挟む力として働くわけであるが、板バネでも磁力でも可能である。【００１４】  止板（６）は、固着ハサミ片（２）の上端に、略中央の支軸（４Ｂ）を支点にして、巻きバネ（５Ｂ）を介して復元力を持たせて開動自在に取り付けられている。そして、その内側の先端下方が斜面状（６Ａ）でＬ形の段差になっている。この段差は、後述する係止部（７Ａ）を係止する被係止部（６Ｂ）である。支軸より外側は、外し棒（８）として、指の掛け易い形になっている。そして、外し棒（８）は、支軸（４Ｂ）を支点に力点として働き、段差状の被係止部（６Ｂ）を開く作用をする。止金（７）は、凸形の突起状で開動ハサミ片（３）の上端に上向きに固着していて、前記被係止部（６Ｂ）に係止される部分である。したがって、開動ハサミ片（３）の上端部を内側に引き寄せると、その凸形の係止部（７Ａ）は、止板（６）の斜面部（６Ａ）を押し上げながら通過して段差状の被係止部（６Ｂ）で係止して、洗濯物を挟む部分は開いた状態になる。そして、止板（６）の外し棒（８）を下方に下げると、被係止部（６Ｂ）から係止部（７Ａ）が外れ元の形に戻ることになる。【００１５】  通し穴（９Ａ，９Ｂ）は、全てのハサミ片の上部同位置に同角度で設けられており、引き線（１０）が通される穴である。そして、固着ハサミ片の通し穴（９Ａ）は、引き線（１０）が移動する際、摩擦抵抗がない様にするため縦長に開けてある。【００１６】  引き線（１０）は、基軸（１）の中央を境に左右それぞれ一本ずつ有り、それぞれのハサミ片の通し穴（９Ａ，９Ｂ）を通してある。そして、それぞれの引き線の内側先端には取手（１２）が取り付けてある。しかし、この取手（１２）は、中央を境に外側のハサミ片を基軸（１）に固着した場合は、それぞれ外側先端に取り付けられることになる。この取手（１２）は、引き線（１０）を引きやすくするためのものである。係合リング（１１）は、引き線（１０）に固着して設けられているが、開動ハサミ片の上部（３Ａ）を内側に引いて閉じるためのものであるから、その位置は、開動ハサミ片上部（３Ａ）の外側直近に固着している。したがって、引き線（１��）を取手側に引いた時、全ての開動ハサミ片上部（３Ａ）は、一斉に固着ハサミ片上部（２Ｂ）方向に引き寄せられ、止金（７）の係止部（７Ａ）が止板（６）の斜面部（６Ａ）を押し上げながら通過して、段差部の被係止部（６Ｂ）で係止する。その結果、洗濯物挟み部分（丙１）は開いた状態で停止することになる。【００１７】  図３，図４において、洗濯バサミ（丙）を開いた状態と閉じた状態の正面図である。固着ハサミ片側面（２Ａ）は、基軸（１）の外面に密着して固定する面であり、釘・鋲又は接着剤で固着している。巻きバネ（５Ａ）は、上部が開く力を蓄えており、引き線（１０）を固着ハサミ片方向に引いた時、開動ハサミ片上部（３Ａ）は、このバネに逆らいながら係止リング（１１）に係止され内側に移動する。そして、止金（７）の係止部が止板（６）の斜面部（６Ａ）を押し上げながら通過して被係止部で係止する。係合リング（１１）は、引き線（１０）に固着しており、開動ハサミ片（３）を内側に移動させるためのものである。【００１８】  図５において、止板（６）の被係止部（６Ｂ）を下向きに固着し、止金（７）の係止部（７Ａ）を上向きにして、止金（７）に復元力を持たせて取り付けた場合の実施例である。止板（６）の先端中央は、止金（７）の外し棒（８）が係合するための凹所（１３Ａ）が設けられている。この場合止金（７）に復元力を持たせているが、止金（７）を固着して止板（６）を板バネにすることもできる。そうすると、外し棒（８）は止板（６）の下方に取り付けることになる。そして又、止金（７）は、巻きバネ（５Ｃ）を介して連結し、復元力を持たせているが、復元力は板バネでも磁気、ゴム等の素材を使って復元力を持たせても良い。【００１９】  図６においては、止金（７）の係止部（７Ａ）を下向きに固着して、止板（６）の被係止部（６Ｂ）を上向きにしている。そして止板（６）を板バネにして、復元力を持たせて取り付けた場合の実施例である。止金（７）の先端中央は止板（６）の上端の外し棒（８）が係合するための凹所（１３Ｂ）が設けられている。この場合、止板（６）に復元力を持たせているが、止金（７）に復元力を持たせて止板（６）を固着することもできる。そうすると、止金（７）の下方に外し棒（８）を取り付けることになる。そして、下方に外し棒（８）を取り付けた場合は、洗濯物の一端を運び込むと同時に外し棒を押し上げることができる。又、復元力は、板バネ、磁力、ゴム等の素材どれを使用しても可能である。
【考案の効果】
【００２０】  本考案は、上述のとおり構成されているので、次に記載する効果を奏する。
【００２１】  請求項の固着式ワンタッチ物干ハンガーにおいて、洗濯バサミが基軸に固着しているので洗濯バサミ同士や他の物と絡みにくく扱いやすい。
【００２２】  請求項２の固着式ワンタッチ物干ハンガーにおいては、止金の係止部が、止板の被係止部に係止されるので、洗濯バサミを開いた状態にしておいて洗濯物の一端をその開いた部分に運び込んだ後に、止金を止板から外すだけで簡単に洗濯物を干せる。
【００２３】  請求項３において、外し棒が付いているので止金の係止部を被係止部から外すのに便利で、さらに簡単にその作業ができる。
【００２４】  請求項４において、外し棒が基軸にそって伸びているので扱いやすい。又止金が単純なので低コストである。
【００２５】  請求項５において、引き線が付いているので、その取手を引っ張るだけで、それにかかる洗濯バサミを一斉に開くこともできて洗濯物を干す場合も外す場合も短時間でできる。
【図面の簡単な説明】
【図１】  固着式ワンタッチ物干ハンガーの全体の斜視図である。
【図２】  固着式ワンタッチ物干ハンガーの洗濯バサミ部分の斜視図である。
【図３】  洗濯バサミを開いた状態の正面図である。
【図４】  洗濯バサミを閉じた状態の正面図である。
【図５】  止金を上向きにして復元力を持たせ、止板を下向きにして固着した場合の要部斜面図である。
【図６】  止金を下向きに固着して、止板を上向きにして復元力を持たせた場合の要部斜面図である。
【符号の説明】
甲  枠
乙  吊るし具
丙  洗濯バサミ
丙１  洗濯物挟み部分
１  基軸
１Ａ  基軸外面
２  固着ハサミ片
２Ａ  固着ハサミ片側面
２Ｂ  固着ハサミ片上部
３  開動ハサミ片
３Ａ  開動ハサミ片上部
４Ａ  支軸
４Ｂ  支軸
５Ａ  巻バネ
５Ｂ  巻バネ
５Ｃ  巻バネ
５Ｄ  板バネ
６  止板
６Ａ  斜面部
６Ｂ  被係止部
７  止金
７Ａ  係止部
８  外し棒
９Ａ  通し穴
９Ｂ  通し穴
１０  引き線
１１  係止リング
１２  取手
１３Ａ  凹所
１３Ｂ  凹所
【図１】
0003105148.tif 000003
【図２】
0003105148.tif 000004
【図３】
0003105148.tif 000005
【図４】
0003105148.tif 000006
【図５】
0003105148.tif 000007
【図６】
0003105148.tif 000008